(57)【要約】【課題】  ゴミ箱、下足棚、戸棚、押し入れ、引き出し等の閉鎖空間において、簡便かつ長期間にわたり悪臭の発生を防止できる液体消臭剤組成物を提供する。【解決手段】  ヨウ素及び植物精油を含有する消臭剤組成物。【選択図】  なし【特許請求の範囲】
【請求項１】
（ａ）ヨウ素及び（ｂ）植物精油を含有する消臭剤組成物。
【請求項２】
（ｂ）植物精油が、（ｂ１）チモール、ゲラニオール、ヒノキチオール、カルバクロール、シトラール、オイゲノール、テルピネン−４−オール、１・８−シネオール、シトロネラール、シトロネロール、リナロール、アネトール、メントール、メントン、カンファー、リモネンから選ばれる１種以上を含有する植物精油である、請求項１記載の消臭剤組成物。
【請求項３】
（ａ）ヨウ素、及び（ｂ１）チモール、ゲラニオール、ヒノキチオール、カルバクロール、シトラール、オイゲノール、テルピネン−４−オール、１・８−シネオール、シトロネラール、シトロネロール、リナロール、アネトール、メントール、メントン、カンファー、リモネンから選ばれる１種以上の化合物を含有する消臭剤組成物。
【発明の詳細な説明】
【技術分野】
【０００１】
本発明は、消臭剤組成物に関する。より詳しくは、室内、とりわけゴミ箱、下足棚、戸棚、押し入れ、引き出し等の狭小閉鎖空間に対し有効な消臭剤組成物に関する。
【背景技術】
【０００２】
ゴミ箱、下足箱、戸棚、押し入れ、引き出し等は普段から解放した状態で使用されることが少ないため、庫内に湿気が滞留し雑菌等が繁殖しやすくなり悪臭の発生源となることがある。
【０００３】
ゴミ箱や下足棚等の消臭剤も市販されているが、すでに発生したニオイを吸着するものが多く、悪臭の発生を根本から遮断するものは少ない。また、塩素の抗菌作用で悪臭の発生を防止する商品もあるが、それ自体から発生する塩素臭が不快感を与えるものが少なくない。
【０００４】
更に、ヨウ素の抗菌性能は古くから知られている。例えば特許文献１にはヨウ素包接シクロデキストリンを用いた殺菌、消臭用スプレーが記載されている。また、特許文献２にはヨウ素包接シクロデキストリンを用いた消臭殺菌剤が記載されている。
【特許文献１】特開昭５２−１５８０９号公報
【特許文献２】特公昭５７−５６８８８号公報
【発明の開示】
【発明が解決しようとする課題】
【０００５】
しかしながら、スプレー形態では広範囲に簡便に抗菌消臭効果を出すことは困難であり、ヨウ素単独では低温時にヨウ素の揮発が抑制され十分な効果を発揮できない場合がある。
【０００６】
本発明の課題は、ゴミ箱、下足棚、戸棚、押し入れ、引き出し等の閉鎖空間において、簡便かつ長期間にわたり悪臭の発生を防止できる液体消臭剤組成物を提供することである。
【課題を解決するための手段】
【０００７】
本発明は、（ａ）ヨウ素〔以下、（ａ）成分という〕及び（ｂ）植物精油〔以下、（ｂ）成分という〕を含有する消臭剤組成物に関する。
【０００８】
また、本発明は、（ａ）ヨウ素、及び（ｂ１）チモール、ゲラニオール、ヒノキチオール、カルバクロール、シトラール、オイゲノール、テルピネン−４−オール、１・８−シネオール、シトロネラール、シトロネロール、リナロール、アネトール、メントール、メントン、カンファー、リモネンから選ばれる１種以上の化合物を含有する消臭剤組成物に関する。
【発明の効果】
【０００９】
本発明の消臭剤組成物は、ゴミ箱、下足棚、戸棚、押し入れ、引き出し等の閉鎖空間に於いて、幅広い温度範囲で長期にわたり優れた消臭効果を発揮する。
【発明を実施するための最良の形態】
【００１０】
＜（ａ）成分＞
本発明で使用される（ａ）成分のヨウ素は、結晶そのままの形で使用してもよいが、シリカゲル等の多孔質体に吸着したり、シクロデキストリン等の包接化合物に包接したものを使用することもできる。シクロデキストリン包接体は日宝化学社製のヨウ素包接シクロデキストリン「ＣＤＩ」を使用することが出来る。好ましくはポリビニルピロリドンヨウ素又はヨウ素包接シクロデキスロリンである。
【００１１】
本発明の消臭剤組成物は、（ａ）成分を１〜９９質量％、更に５〜９５質量％、特に１０〜９０質量％含有することが好ましい。
【００１２】
＜（ｂ）成分＞
また、本発明で使用される（ｂ）成分の植物精油は、一般に知られているものを使用することができる。
【００１３】
（ｂ）成分の精油の例としてはアニス油、オリガナム油、オレンジ油、レモン油、ライム油、グレープフルーツ油、マンダリン油、シトロネラ油、カシア油、カモミル油、カラシ油、ガーリック油、キャラウェイ油、クミン、クローブ油、コリアンダー、シナモン油、スペアミント油、セージ油、ゼラニウム油、タイム油、バジル油、ハッカ油、バーチ油、パルマローザ油、ヒバ油、ヒノキ油、ペチグレン油、ペパーミント油、ベルガモット油、ネロリ油、ユーカリ油、ラバンジン油、ラベンダー油、レモングラス油、ローズマリー油、ローレルリーフ油、ワサビ油、ローズ油、ミント油、マージョーラム油、フェンネル油、ジンジャー油等が挙げられ、これらを単独あるいは混合物で使用することが出来る。
【００１４】
次の成分（ｂ１）から選ばれる１種以上の化合物〔以下、（ｂ１）成分という〕を含む植物精油が好ましい。
（ｂ１）チモール、ゲラニオール、ヒノキチオール、カルバクロール、シトラール、オイゲノール、テルピネン−４−オール、１・８−シネオール、シトロネラール、シトロネロール、リナロール、アネトール、メントール、メントン、カンファー、リモネンから選ばれる一種以上
【００１５】
なお、（ｂ１）成分を含む具体的な植物精油は、アニス油、オリガナム油、オレンジ油、グレープフルーツ油、マンダリン油、シトロネラ油、クローブ油、シナモン油、ゼラニウム油、タイム油、ハッカ油、ヒバ油、ユーカリ油、ラバンジン油、ラベンダー油、ローズマリー油、ローレルリーフ油、ローズ油、ミント油、マージョーラム油、フェンネル油、ジンジャー油である。
【００１６】
本発明では、前記（ａ）成分と（ｂ１）成分の化合物の１種以上を含有する消臭剤組成物もまた提供する。また、（ｂ）成分と（ｂ１）成分とを併用してもよい。
【００１７】
（ｂ）成分又は（ｂ１）成分は、そのままの状態で使用しても良いが、ジエチルフタレート、ジプロピレングリコール、ベンジルベンゾエート等の溶剤や保留剤を使用することが出来る。また、濾紙や不織布などの含浸せしめシートにしたり、シリカゲルやゼオライト、活性炭等の多孔質体に吸着させた粉末状として使用することが出来る。また、レンゴー（株）「ビスコパール」（多孔性の球状再生セルロース粒子）に含浸あるいは包埋せしめた状態で使用することもできる。
【００１８】
本発明の消臭剤組成物は、（ｂ）成分又は（ｂ１）成分を１〜９９質量％、更に５〜９５質量％、特に１０〜９０質量％含有することが好ましい。
【００１９】
また、本発明の消臭剤組成物は、（ａ）成分と（ｂ）成分〔（ｂ１）成分も含む〕の質量比が、（ａ）：（ｂ）で１：９９から９９：１、更に１：１９から１９：１の割合で用いられるのが好ましい。
【００２０】
本発明の消臭剤組成物が液状の場合、残部は水であることが好ましく、イオン交換水を用いることが好ましい。
【００２１】
また、本発明の消臭剤組成物に配合できる他の成分としては、モノ長鎖アルキル（炭素数８〜１８）ジメチルアミンオキシドなどのアミンオキシド型界面活性剤、アルキル基の炭素数が８〜１８のアルキル（ポリ）グルコシド（平均縮合度が１〜２）などの界面活性剤、エタノール、イソプロピルアルコールなどの１価の低級アルコール、ジグリコールモノブチルエーテル、炭素数１〜８のアルキル基を有するモノアルキルモノ（又はジ）グリセリルエーテル、エチレングリコール、ジエチレングリコール、プロピレングリコール、グリセリンなどの前記１価低級アルコール以外の水溶性有機溶剤、トリポリリン酸、クエン酸、コハク酸、マレイン酸、フタル酸、１，２−シクロヘキサンジカルボン酸、エチレンジアミン４酢酸などのポリカルボン酸又はそれらの塩であるキレート剤、モノ、ジ又はトリエタノールアミン、アンモニア、水酸化ナトリウム、炭酸ナトリウムなどのアルカリ剤、その他前記、酸又はアルカリ剤以外のｐＨ調整剤、キサンタンガム、ポリアクリル酸などの増粘剤、前記有機溶剤以外のポリプロピレングリコール、ポリエチレングリコール、パラトルエンスルホン酸、クミンスルホン酸、安息香酸などの液体安定化剤、香料、色素、チアゾリン系化合物などの抗菌剤などが挙げられる。
【００２２】
本発明の消臭剤組成物は、担体ないし固体保留剤に担持させてシート状や粉末状に加工し、これを通気性のある容器（解放容器や通気性シートからなる袋等）に装填した形態のものを、消臭剤組成物が目的とする閉鎖空間に放出されるよう設置（例えば粘着性シートにて壁に張り付ける等）して使用する事が望ましい。また、液状の組成物を手動式スプレーヤー等により噴霧して使用することもできる。
【実施例】
【００２３】
＜評価サンプル＞
Ａ：日宝化学製１０％ヨウ素包接シクロデキストリンＢＣＤＩ−１０の１０ｇを、ポリプロピレン製スパンボンド不織布（縦８ｃｍ×横８ｃｍ）の袋体に充填した。
Ｂ：表１に示す処方の香料を、レンゴー（株）製「ビスコパール」に対し１００質量％の比率で包埋させたサンプルの１０ｇを、ポリプロピレン製スパンボンド不織布（縦８ｃｍ×横８ｃｍ）の袋体に充填した。
Ａ＋Ｂ：日宝化学製１０％ヨウ素包接シクロデキストリンＢＣＤＩ−１０の１０ｇと、表１に示す処方の香料を、レンゴー（株）製「ビスコパール」に対し１００質量％の比率で包埋させたサンプルの１０ｇとを、ポリプロピレン製スパンボンド不織布（縦８ｃｍ×横８ｃｍ）の袋体に充填した。
【００２４】
＜消臭性の評価方法＞
縦３０ｃｍ横３０ｃｍ高さ３０ｃｍのアクリル製密閉容器に米飯、キュウリ、キャベツ、釜ゆでしらすを等重量ずつ混合したモデル残飯３０ｇを入れ、容器上部内面にサンプルを粘着テープで貼り付け、密閉した状態で容器を表２に示す各温度、日数で保存した後の臭いを、パネラー３名による快・不快度の官能評価にて行い平均値を表２に示す。このとき香料のにおいやヨウ素臭は評価に入れないこととした。ここで、快・不快度とは、そのニオイがどのくらい快か不快かを示すもので、９段階法が用いられている。「匂いの科学」（１９９３年１２月１０日、第３刷、朝倉書店刊、高木貞敬、渋谷達明編）の６頁を参照すると、評価基準は以下の通りである。
【００２５】
４：極端に快
３：非常に快
２：快
１：やや快
０：無臭
−１：やや不快
−２：不快
−３：非常に不快
−４：極端に不快
【００２６】
【表１】
2005065965.tif 000002
【００２７】
【表２】
2005065965.tif 000003